(57)【要約】【課題】  本発明は、手摺下の開口部の幅を簡便に調節することができ、併せてベランダ等の床面又は手摺壁の頂部を保護する建築用部材を提供することを目的とするものである。【解決手段】  本発明は、長方形状の天面部と、天面部の一方の長辺に接して天面部の面方向に対して略直角に配置される側面部と、前記天面部の他方の長辺に沿って前記側面部と逆向きに配置される高さが少なくとも３０ｍｍ以上の中空凸部とを有する、手摺下笠木に関する。本発明の笠木を使用することによって、ベランダ等の床面又は手摺壁をかさ上げしたり、手摺を全面的に交換したりせずに、簡便に手摺下部の開口部の幅を調節することが可能になる。【選択図】図１
2017193929.tif 000002
【特許請求の範囲】
【請求項１】
長方形状の天面部と、天面部の一方の長辺に接して天面部の面方向に対して略直角に配置される側面部と、前記天面部の他方の長辺に沿って前記側面部と逆向きに配置される高さが少なくとも３０ｍｍ以上の中空凸部とを有する、笠木。
【請求項２】
天面部と側面部及び天面部と中空凸部との間に継ぎ目のない一体成形体である、請求項１に記載の笠木。
【発明の詳細な説明】
【技術分野】
【０００１】
本発明は、手摺、柵、フェンス等の下部に設置することを目的の一つとした笠木に関する。
【背景技術】
【０００２】
建物のベランダ、バルコニー又は屋上（以下、ベランダ等と表す）には、通常、手摺、柵又はフェンス等の、落下事故を防止するための建築部材が備えられる。以下、「手摺」をかかる事故防止用建築部材を代表する用語として使用する。
【０００３】
アパート、マンション又は戸建てといった建物のベランダ等に備えられる手摺は、生活空間における風通しや眺望、建物の外観等を考慮して、ベランダ等の床面又は手摺の支柱が埋設されている手摺壁（以下、手摺取付基部と表す）の頂部と手摺の最も低い位置にある手摺下桟との間に開口部があるタイプの手摺であることが多い。以下、前記開口部を手摺下の開口部又は単に開口部と表す。
【０００４】
手摺下の開口部は、ベランダ等で使用する履物、子供のおもちゃ、ベランダ菜園の用具その他の小物が、偶発的に開口部をすり抜けて落下してしまったり、まれに幼児が開口部をすり抜けて落下してしまったりする等の事故の原因ともなり得る。
【０００５】
このような落下事故を防止するための安全対策として、開口部高さ（手摺取付基部の頂部から手摺下桟の下面までの高さ）を８０ｍｍ以下とすることが推奨されている。
【０００６】
しかしながら、築年数が経過した古い建物のベランダ等を改修する工事において、推奨される開口部高さを維持するには、ベランダ等の床面又は手摺壁のかさ上げや、場合によっては手摺の全面的な交換等の大規模な作業が必要となることがある。こうした大規模な改修工事は、手間も多額の費用も要する。
【発明の開示】
【発明が解決しようとする課題】
【０００７】
本発明は、安全対策として求められる手摺下の開口部高さを簡便に調節することができ、併せてベランダ等又は手摺壁の縁を保護する建築用部材を提供することを目的とするものである。
【課題を解決するための手段】
【０００８】
本発明者らは、笠木の形状について鋭意工夫を重ねることで、下記の発明を完成させた。
【０００９】
（１）長方形状の天面部と、天面部の一方の長辺に接して天面部の面方向に対して略直角に配置される側面部と、前記天面部の他方の長辺に沿って前記側面部と逆向きに配置される高さが少なくとも３０ｍｍ以上の中空凸部とを有する笠木。
（２）天面部と側面部及び天面部と中空凸部との間に継ぎ目のない一体成形体である、（１）に記載の笠木。
【発明の効果】
【００１０】
本発明の笠木を使用することによって、ベランダ等の床面又は手摺壁をかさ上げしたり、手摺を全面的に交換したりせずに、簡便に手摺下の開口部高さを調節することが可能になる。
【図面の簡単な説明】
【００１１】
【図１】本発明の笠木の一例を示す斜視図である。
【図２】本発明の笠木の一例の短辺方向の断面図である。
【図３】本発明の笠木の使用態様を示す図である。
【発明を実施するための形態】
【００１２】
以下、本発明の笠木及びその使用態様を例示する図１〜図３を参照して、本発明を詳細に説明する。
【００１３】
図１は本発明の笠木の斜視図、図２は本発明の笠木を短辺方向で切断したときの断面図、図３は本発明の笠木の使用態様の例をそれぞれ示している。図３は、図２と同様に、笠木の短辺方向でベランダ等、笠木及び手摺を切断したときの断面図である。
【００１４】
図中、符号１は笠木、符号２は天面部、符号３は側面部、符号４は中空凸部、符号５は手摺取付基部、符号６は手摺支柱、符号７は手摺下桟、符号８は取付ビスである。
【００１５】
便宜上、図３に例示される本発明の笠木の使用態様を先に説明する。本発明の笠木は、手摺が備えられた手摺取付基部５に、中空凸部４が上に向き、側面部３が手摺取付基部５の縁の外側を覆うように、かつ中空凸部４が手摺の支柱６の外壁側に位置するように設置される。
【００１６】
このように設置されることで、本発明の笠木はベランダ等又は手摺壁の縁を雨風等から保護する笠木本来の機能を果たすとともに、中空凸部によって手摺下の開口部高さを実質的に低くすることができ、落下事故の防止に資することとなる。したがって、本発明の笠木は、ベランダ等又は手摺壁の保護手段として及び手摺下の開口部高さを実質的に狭める手段として手摺の下に設置される笠木であり、手摺下笠木と表すことができるものである。
【００１７】
図１及び図２に例示的に示す本発明の笠木１は、天面部２と、天面部２の一方の長辺に接して天面部２の面方向に対して略直角に配置される側面部３と、前記天面部２の他方の長辺に沿って前記側面部３と逆向きに配置される高さが少なくとも３０ｍｍ以上の中空凸部４とを有する。
【００１８】
天面部２は、長方形状の平板であり、図３に示されるように、その一方の面（下面）が手摺取付基部５の頂部に当接する。天面部２の長辺の長さは、工事対象となる設置場所の幅に合わせて適宜設定される。また、天面部の短辺方向の長さは、ベランダ等の縁の又は手摺壁の外壁面から手摺支柱６までの距離を基準として適宜設定されるが、手摺支柱６の近傍に中空凸部４を置くことができる長さとする。
【００１９】
天面部２の下面は、平滑面であってもよいが、突起を有することが好ましい。かかる突起を介して天面部２と手摺取付基部を接触させることで、笠木を手摺取付基部により強固に固定することができる。
【００２０】
また天面部２には、ベランダ等又は手摺壁の縁に笠木１を固定するための固定具（典型的にはボルト等）を通すための貫通孔（図示されない）が、適当な間隔をもって設けられていることが好ましい。
【００２１】
側面部３は、天面部２の一方の長辺に接して天面部２の面方向に対して略直角に配置される長方形状の平板である。側面部３は天面部２とは別体の板として天面部に接合したものでもよいが、一枚の長方形の板の一方の長辺が略直角に折れ曲がってなる、天面部２と側面部３が一体となっているものであることが好ましい。また、側面部３には水切り構造が与えられてもよい。
【００２２】
中空凸部４は、側面部３がある長辺とは別の天面部２の長辺に沿ってすなわち長辺方向に伸びて、側面部３と逆の向きに天面部２に設けられており、言い換えれば本発明の笠木１がベランダ等又は手摺壁の縁に置かれたときには、側面部は下を、中空凸部は上を向くように配置される。
【００２３】
中空凸部４の形状には特に制限はなく、笠木１の短辺方向で切断したときの断面形状は、半円状、天面部に直交する方向に伸びた半楕円状、又は天面部に底辺を接する三角形状その他の多角形状であってよいが、好ましくは前記半楕円状又は三角形状である。
【００２４】
中空凸部の高さ（天面部の下面から凸の最頂端までの長さ）は３０〜１００ｍｍの範囲内で適宜決定すればよく、好ましくは４０ｍｍ、６０ｍｍ、又は１００ｍｍである。中空凸部の高さは、手摺下の開口部高さを考慮して、特に改修工事の場合は工事前の手摺下開口部高さと工事で必要となるベランダ等又は手摺壁の削り幅とを考慮して、決定すればよい。
【００２５】
本発明の笠木は、天面部と側面部及び天面部と中空凸部との間に継ぎ目のない一体成形体であることが好ましい。側面部、天面部及び中空凸部を一体成形する方法は、用いられる材料毎に公知の方法を採用すればよい。例えばアルミニウム、ステンレス又は強化プラスチック等の材料を用いて中空構造を有する物品を一体成形的に製造する方法には、押出法、射出成形法その他当業者に周知な方法があり、本発明の笠木もこれらの方法に準じて一体成形的に製造することができる。
【００２６】
本発明の笠木の材料としては、アルミニウム、チタン、ステンレス又はそれらの合金等の金属及び強化プラスチックを挙げることができる。本発明において好ましい材料は、純アルミニウム、又はＡ１０５０、Ａ５０５２、Ａ６０６１、Ａ６０６３、Ａ７０７５等のアルミニウム合金であり、特にＡ６０６３Ｓが好ましい。
【００２７】
本発明の笠木において、凸部を中空とすることで、凸部の上からの荷重及び横からの衝撃に対する強度並びに笠木全体の強度を確保することができ、かつ笠木全体を軽量化することができる。
【００２８】
また、天面部及び側面部の厚みには特に制限はなく、笠木として使用し得る程度の厚みであればよい。
【００２９】
本発明の笠木は、これまで説明した構造を備える限り、さらに他の構成、例えば手摺取付基部に固定する際のベースプレート、天面部又は側面部に設けられる補強リブ、中空部への水の侵入を防ぐための蓋等を備えていてもよく、それらは必要に応じて当業者が適宜加工又は改変等することができる。また、本発明の笠木は使用する材料に適した方法で適宜塗装又は着色処理を施してもよい。
【００３０】
なお、本発明の説明において、落下事故を防止するための建築部材を代表する用語として「手摺」を用いて説明したが、本発明の笠木は手摺の下だけではなく、柵、フェンスその他の落下事故を防止するための建築部材であって、安全対策としてその開口部高さを調節することが求められるものであれば、これら建築部材の下にも設置して利用することができることは言うまでもない。すなわち、本発明の笠木の使用場面は狭義の手摺の開口部のみに限定されない。
【産業上の利用可能性】
【００３１】
本発明は、建築物に備えられる手摺廻りの改修工事において笠木として使用可能で有り、建築用部材としての産業上の利用可能性を有する。
【符号の説明】
【００３２】
１  笠木
２  天面部
３  側面部
４  中空凸部
５  手摺取付基部
６  手摺支柱
７  手摺下桟
８  取付ビス
【図１】
2017193929.tif 000003
【図２】
2017193929.tif 000004
【図３】
2017193929.tif 000005